(57)【要約】【課題】塔状のコンクリート構造物などをスリップフォーム工法を用いて施工する場合において、仮設作業足場を設置するに際し、仮設作業足場の設置がスリップフォーム工法による施工の妨げになることがなく、スリップフォーム工法による施工の利点を有効にできる。【解決手段】コンクリート構造物の施工途中で、仮設作業足場を設置するためコンクリート構造物に固定されるブラケット９において、既設の作業足場と構造物のコンクリート壁面との隙間を通過可能なよう、コンクリート構造物に固定された固定アーム１１と、該固定アーム１１の上端に端部が回動自在に軸着される支持アーム１２と、固定アーム１１の下端に端部が回動自在に軸着されるステイ１３とで構成され、ステイ１３の他端を支持アーム１２の形成した長孔１２ａにスライド自在に係合し、固定アーム１１に対して支持アーム１２とステイ１３とを偏平に折り畳み可能なように組合わせた。【選択図】　　　　図１
2004027658.tif 000002
【特許請求の範囲】
【請求項１】
コンクリート構造物の施工途中で、仮設作業足場を設置するためコンクリート構造物に固定されるブラケットにおいて、作業足場が構造物のコンクリート壁面との隙間を通過可能なよう、コンクリート構造物に固定された固定アームと、該固定アームの上端に端部が回動自在に軸着される支持アームと、固定アームの下端に端部が回動自在に軸着されるステイとで構成され、固定アームに対して支持アームとステイとを偏平に折り畳み可能なように組合わせたことを特徴とする仮設作業足場用ブラケット。
【請求項２】
支持アームに長孔を形成し、該長孔にステイの他端をスライド自在に係合する請求項１記載の仮設作業足場用ブラケット。
【発明の詳細な説明】
【０００１】
【発明の属する技術分野】
本発明は、コンクリート構造物を構築する途中で、コンクリート構造物の壁面に仮設する仮設作業足場を固定するためのブラケットに関するものである。
【０００２】
【従来の技術】
煙突やサイロなどの塔状のコンクリート構造物を施工する場合や、斜張橋や吊り橋の鉄筋コンクリート主塔工事を行う場合、各施工段階において、例えば、タワークレーンの壁繋ぎ設置用足場、作業通路等の仮設作業足場を数多く設ける必要が生じる。
【０００３】
そして、かかる仮設作業足場を設置するには、従来、構造物がある程度出来上がった段階で、コンクリート中に埋め込んでおいたアンカーを用いてブラケットを固定し、このブラケット上に足場板を敷設する方法が一般的である。
【０００４】
ところで、塔状のコンクリート構造物を施工する場合はもちろんのこと、橋の鉄筋コンクリート主塔を施工する場合も、工期短縮を図るためにスリップフォーム（滑動式型枠）工法が多く用いられるようになっている。
【０００５】
このスリップフォーム（滑動式型枠）工法は、図７にも示すようにコンクリート構造物１を構成するコンクリートを層状に連続的に打設しながら、型枠２を連続的に移動（例えば１時間に１０〜２０ｃｍ程度ずつ）させていく工法であり、工期を短縮できる、打ち継ぎ目を生じない構造物を構築することができる、などの利点を有する。図中３は鉄筋、４は型枠２を上昇させるためのクライミングロッドを示す。
【０００６】
また、図中５は主作業足場を示し、メインヨーク材６、ヨークチャンネル７により型枠２に固定されている。そして、主作業足場５の下方には左官足場８が設置され、型枠２を上昇することで、これに追随して主作業足場５や左官足場８も上昇する。
【０００７】
【発明が解決しようとする課題】
このようなスリップフォーム工法を用いてコンクリート構造物を構築する施工途中において、仮設作業足場を設置する場合、図８に示すようにブラケット９をコンクリート構造物１に埋設してあるアンカーボルト１０に固定する作業は左官足場８上で行うことになる。
【０００８】
このブラケット９はこの上に足場板などが敷設されるものであり、側面三角形の枠状であり、左官足場８の方向に向けて突出する。このため、左官足場８上でブラケット９を固定した場合、型枠２が上昇してこれに伴い左官足場８も上昇すると、左官足場８とブラケット９が接触して、ブラケット９が左官足場８すなわち型枠２の上昇の妨げとなる。
【０００９】
かかる不都合を解消するには、仮設作業足場設置のために型枠２の上昇を一時停止すればよいが、このようにすると、停止期間分だけ工期が延長し、また、打ち継ぎ目が生じてコンクリート弱点部が発生するなどの問題が新たに生じ、スリップフォーム工法の利点を生かすことが困難になる。
【００１０】
本発明の目的は前記従来例の不都合を解消し、塔状のコンクリート構造物などをスリップフォーム工法を用いて施工する場合において、仮設作業足場を設置するに際し、仮設作業足場の設置がスリップフォーム工法による施工の妨げになることがなく、スリップフォーム工法による施工の利点を有効にできる仮設作業足場用ブラケットを提供することにある。
【００１１】
【課題を解決するための手段】
本発明は前記目的を達成するため、第１に、コンクリート構造物の施工途中で、仮設作業足場を設置するためコンクリート構造物に固定されるブラケットにおいて、作業足場が構造物のコンクリート壁面との隙間を通過可能なよう、コンクリート構造物に固定された固定アームと、該固定アームの上端に端部が回動自在に軸着される支持アームと、固定アームの下端に端部が回動自在に軸着されるステイとで構成され、固定アームに対して支持アームとステイとを偏平に折り畳み可能なように組合わせたことを要旨とするものである。
【００１２】
第２に、支持アームに長孔を形成し、該長孔にステイの他端をスライド自在に係合することを要旨とするものである。
【００１３】
請求項１記載の本発明によれば、ブラケットは、コンクリート構造物に固定した固定アームに対して軸着部を中心にして支持アームとステイとがそれぞれ回動することでコンクリート構造物の壁面に添うような状態で偏平に折り畳まれる。よって、ブラケットを左官足場上でコンクリート構造物に固定し、左官足場が型枠とともに上昇しても、ブラケットは偏平に折り畳まれているから、左官足場とコンクリート構造物との間に形成されている隙間に入り込み、ブラケットが左官足場の上昇の妨げとなることがない。
【００１４】
請求項２記載の本発明によれば、前記作用に加えて、折り畳み時には、ステイの他端は支持アームに形成した長孔にスライド自在に係合しているから、支持アームを引き上げるだけでこれに追随してステイも他端が引き上げられて、支持アームと略直線状に折り畳まれる。
【００１５】
【発明の実施の形態】
以下、図面について本発明の実施の形態を詳細に説明する。図１は本発明の仮設作業足場用ブラケットの実施形態を示す側面図、図２は同上折り畳んだ状態の側面図で、本発明のブラケットも、例えば図７に示すスリップフォーム工法で用いる仮設作業足場を固定するためのブラケットであり、図８に示すようにコンクリート構造物１の施工途中で、仮設作業足場を設置するためコンクリート構造物１に固定されるものである。
【００１６】
該ブラケット９は、図１に示すようにコンクリート構造物１に固定される固定アーム１１と、該固定アーム１１の上端に端部が回動自在に軸着される支持アーム１２と、固定アーム１１の下端に端部が回動自在に軸着されるステイ１３とで構成する。
【００１７】
固定アーム１１はチャンネル状の鋼材を用いて、上端と下端とに支持アーム１２とステイ１３とをそれぞれ結合するためのボルト孔１１ａ、１１ｂを穿設した。支持アーム１２はアングル状の鋼材を用いるもので、長さ方向のほぼ中央にステイ１３の端部が係合する長孔１２ａを形成し、端部に前記ボルト孔１１ａとの係止ピン１４ａを突設する。該係止ピン１４ａは、一例としてボルト・ナット・ワッシャーの溶接固定により形成する。
【００１８】
ステイ１３もアングル状の鋼材を用いるもので、両端部にボルト・ナット・ワッシャーの溶接固定により形成され、長孔１２ａ、ボルト孔１１ｂにそれぞれ係合する係止ピン１４ｂ、１４ｃを突設する。
【００１９】
そして、固定アーム１１の上端のボルト孔１１ａに支持アーム１２に設けた係止ピン１４ａを回動自在に軸着し、固定アーム１１の下端のボルト孔１１ｂにステイ１３の一端に設けた係止ピン１４ｃを回動自在に軸着し、ステイ１３の他端に設けた係止ピン１４ｂを支持アーム１２に形成した長孔１２ａにスライド自在に係合する。
【００２０】
これにより、図２に示すように、固定アーム１１と支持アーム１２との軸着回動部および固定アーム１１とステイ１３との軸着回動部、支持アーム１２とステイ１３とのスライド部を介して、固定アーム１１に対して支持アーム１２とステイ１３とが、コンクリート構造物の施工途中で、既設の作業足場と構造物のコンクリート壁面との隙間を通過可能なよう、偏平に折り畳み可能なように組合わさる。
【００２１】
そして、図３に示すように支持アーム１２の先端から上方に向けて、アングル状の鋼材による手摺り取付用部材１５を立設する。この手摺り取付用部材１５は、ブラケット９を偏平に折り畳んだ状態で、前記のように既設の作業足場と構造物のコンクリート壁面との隙間を通過可能なよう、短尺なものとする。
【００２２】
次に、ブラケット９を施工途中のコンクリート構造物１に固定して、仮設作業足場を設置する方法を説明する。図３に示すようにコンクリート構造物１のコンクリート打設時に、アンカーボルト１０を打設コンクリート中に予め埋め込んでおく。
【００２３】
そして、図７、図８にも示すように左官足場８上で、ブラケット９の固定アーム１１の上部と下部とをアンカーボルト１０に固定する。これによりブラケット９がコンクリート構造物１に固定される。この状態で支持アーム１２を、係止ピン１４ａとボルト孔１１ａとの軸着部を中心にして水平位置まで回動し、この水平位置で係止ピン１４ａにナットを締めつけて固定する。
【００２４】
支持アーム１２が水平位置まで回動することで、ステイ１３も係止ピン１４ｃとボルト孔１１ｂとの軸着部を中心にして回動すると同時に、係止ピン１４ｂが長孔１２ａに沿ってスライドして、斜め方向に引き出される。よって、この斜め位置で係止ピン１４ｃ、１４ｂにナットを締めつければ、この位置にステイ１３が固定される。
【００２５】
かかるブラケット９の固定は、図４、図５に示すように足場板などの長さに対応させて適宜間隔で水平横方向に複数箇所で行い、設置される仮設作業足場１６の両端部位置には上面エキスパンドメタル貼りのステージ１８をブラケット９上に敷設し、この間には木製板状の足場板１９を敷設し、さらに、手摺り取付用部材１５に手摺り１７を取り付ける。
【００２６】
かかる仮設作業足場１６の設置は左官足場８上で行うが、型枠２が上昇するときは、ステージ１８、足場板１９を撤去し、係止ピン１４ａ、１４ｂ、１４ｃを締めつけていたナットを緩め、固定アーム１１に対する支持アーム１２およびステイ１３の固定を解除して、固定アーム１１と支持アーム１２との軸着部、固定アーム１１とステイ１３との軸着部、ステイ１３と支持アーム１２とのスライド部を介して図２に示すようにブラケット９全体を偏平に折り畳む。
【００２７】
この場合、支持アーム１２の端部を引き上げるだけで、該支持アーム１２に形成してある長孔１２ａに端部が係合しているステイ１３は、支持アーム１２の引き上げに追随して長孔１２ａにそって端部がスライドしながら引き上げられるから、固定アーム１１に対して支持アーム１２が略直線状に、また、ステイ１３が固定アーム１１に対して略平行に折り畳まれ、全体が偏平になる。
【００２８】
偏平に折り畳まれたブラケット９は、図３の想像線で示すようにコンクリート構造物１と左官足場８との間の隙間Ａ（図示の例では３５０ｍｍ）の中に入り込むから、左官足場８が型枠２の上昇に追随して上昇しても、左官足場８がブラケット９にぶつかることはなく、ブラケット９が型枠２の上昇を妨げることはない。
【００２９】
なお、このブラケット９は、図６に示すようにこの上に敷設したステージ１８の先端と、ブラケット９取付箇所の上方位置でコンクリート構造物１との間にタイバー２０を張設して、仮ステージ用エレベータプラットホーム２３とすることもできる。図中２１はターンバックルブラケット、２２はターンバックルを示す。
【００３０】
【発明の効果】
以上述べたように本発明の仮設作業足場用ブラケットは、塔状のコンクリート構造物などをスリップフォーム工法を用いて施工する場合において、仮設作業足場を設置するに際し、仮設作業足場をコンクリート構造物に固定するためのブラケットを偏平に折り畳み可能なものに形成したから、ブラケットが型枠の上昇の障害になることがなく、仮設作業足場の設置がスリップフォーム工法による施工の妨げになることがなくなり、スリップフォーム工法による施工の利点を有効にできるものである。
【図面の簡単な説明】
【図１】本発明の仮設作業足場用ブラケットの実施形態を示す側面図である。
【図２】本発明の仮設作業足場用ブラケットの実施形態を示す折り畳んだ状態の側面図である。
【図３】本発明の仮設作業足場用ブラケットの実施形態を示すコンクリート構造物に固定した状態の側面図である。
【図４】本発明の仮設作業足場用ブラケットの実施形態を示すコンクリート構造物に固定した状態の正面図である。
【図５】本発明の仮設作業足場用ブラケットを用いた仮設作業足場の正面図である。
【図６】本発明の仮設作業足場用ブラケットを用いた仮ステージ用エレベータプラットホームの正面図である。
【図７】スリップフォーム（滑動式型枠）工法の説明図である。
【図８】スリップフォーム（滑動式型枠）工法において仮設作業足場用のブラケットを取り付けた場合の説明図である。
【符号の説明】
１…コンクリート構造物　　　　　２…型枠
３…鉄筋　　　　　　　　　　　　４…クライミングロッド
５…主作業足場　　　　　　　　　６…メインヨーク材
７…ヨークチャンネル　　　　　　８…左官足場
９…ブラケット　　　　　　　　　１０…アンカーボルト
１１…固定アーム　　　　　　　　１１ａ、１１ｂ…ボルト孔
１２…支持アーム　　　　　　　　１２ａ…長孔
１３…ステイ　　　　　　　　　　１４ａ、１４ｂ、１４ｃ…係止ピン
１５…手摺り取付用部材　　　　　１６…仮設作業足場
１７…手摺り　　　　　　　　　　１８…ステージ
１９…足場板　　　　　　　　　　２０…タイバー
２１…ターンバックルブラケット　２２…ターンバックル
２３…仮ステージ用エレベータプラットホーム
【図１】
2004027658.tif 000003
【図２】
2004027658.tif 000004
【図３】
2004027658.tif 000005
【図４】
2004027658.tif 000006
【図５】
2004027658.tif 000007
【図６】
2004027658.tif 000008
【図７】
2004027658.tif 000009
【図８】
2004027658.tif 000010